(57)【特許請求の範囲】
【請求項１】
放射線を発生させる放射線発生部と、前記放射線発生部から照射された放射線を検出する放射線検出部とを備え、前記放射線発生部と前記放射線検出部を対向させた状態で回転させることが可能な乳房撮影装置であって、
前記乳房撮影装置における第１の側において被検者の乳房を圧迫板で圧迫させた状態で撮影する第１の撮影手段と、
前記乳房撮影装置における前記第１の側と反対の第２の側において前記被検者の乳房を前記放射線発生部と前記放射線検出部との間に侵入させた状態で前記放射線発生部と前記放射線検出部を回転させて撮影する第２の撮影手段とを備えることを特徴とする乳房撮影装置。
【請求項２】
前記放射線発生部と前記放射線検出部は、支柱部に上下方向への移動が可能に支持されていることを特徴とする請求項１に記載の乳房撮影装置。
【請求項３】
前記支柱部が、台車に固定されていることを特徴とする請求項２に記載の乳房撮影装置。
【請求項４】
前記第２の側にはフロントカバーが着脱可能に設けられており、前記フロントカバーには前記被検者の乳房を侵入させるための開口が設けられていることを特徴とする請求項１乃至３のいずれか１項に記載の乳房撮影装置。
【請求項５】
前記フロントカバーは、前記開口の周囲に、前記開口から侵入させた前記被検者の乳房を支持するための支持台を有することを特徴とする請求項４に記載の乳房撮影装置。
【請求項６】
前記圧迫板が着脱可能であることを特徴とする請求項１乃至５のいずれか１項に記載の乳房撮影装置。
【請求項７】
前記第１の側から前記被検者の乳房を挿入した撮影はマンモグラム撮影であり、前記第２の側から前記被検者の乳房を挿入した撮影はマンモＣＴ撮影であることを特徴とする請求項１乃至６のいずれか１項に記載の乳房撮影装置。
【請求項８】
前記放射線発生部は、前記マンモグラム撮影と前記マンモＣＴ撮影のために、前記放射線発生部の放射線源を、前記放射線発生部と前記放射線検出部の回転の回転軸方向へ移動して配置可能であることを特徴とする請求項７に記載の乳房撮影装置。
【請求項９】
前記放射線検出部は、前記マンモグラム撮影と前記マンモＣＴ撮影のために、前記放射線検出部の検出器を、前記放射線発生部と前記放射線検出部の回転の回転軸方向へ移動して配置可能であることを特徴とする請求項７または８に記載の乳房撮影装置。
【請求項１０】
前記放射線発生部は、前記マンモグラム撮影のための第１の放射線源と前記マンモＣＴ撮影のための第２の放射線源を有することを特徴とする請求項７に記載の乳房撮影装置。
【請求項１１】
前記放射線検出部は、前記マンモグラム撮影のための第１の検出器と前記マンモＣＴ撮影のための第２の検出器を有することを特徴とする請求項７または１０に記載の乳房撮影装置。
【請求項１２】
前記第１の側において、前記放射線発生部と前記放射線検出部の放射線源と検出器、および前記圧迫板が前記放射線発生部と前記放射線検出部の回転の回転面に対して前記第１の側へ張り出した位置に配置されることを特徴とする請求項７に記載の乳房撮影装置。
【請求項１３】
前記放射線発生部と前記放射線検出部は、マンモグラム撮影時とＣＴ撮影時で異なる撮影幾何学系を提供することを特徴とする請求項１乃至１２のいずれか１項に記載の乳房撮影装置。
【請求項１４】
前記放射線検出部の検出器を前記放射線発生部と前記放射線検出部の回転の回転中心へ向けて移動することにより、前記放射線発生部の放射線源と前記検出器との距離を変更する変更手段をさらに備えることを特徴とする請求項１３に記載の乳房撮影装置。
【請求項１５】
前記放射線発生部は、前記マンモグラム撮影と前記マンモＣＴ撮影とで、前記放射線源からの放射線形状が、前記放射線発生部と前記放射線検出部の回転の回転中心からの放射方向を軸として１８０度回転させた状態で装着可能であることを特徴とする請求項８に記載の乳房撮影装置。
【請求項１６】
前記放射線検出部は、前記マンモグラム撮影と前記マンモＣＴ撮影で、前記検出器を、前記放射線発生部と前記放射線検出部の回転の回転中心からの放射方向を軸として１８０度回転させた状態で装着可能であることを特徴とする請求項９に記載の乳房撮影装置。
【請求項１７】
前記放射線発生部と前記放射線検出部を対向させた状態で回転させるガントリは、前記第２の撮影手段で撮影する第２の側から挿入された乳房に対して前記第１の側から操作者がアクセスするための空間を有していることを特徴とする請求項１乃至１６のいずれか１項に記載の乳房撮影装置。
【請求項１８】
前記第２の撮影手段において撮影する乳房を支持する支持形態は、前記第１の撮影手段において撮影する乳房を支持する支持形態と異なることを特徴とする請求項１乃至１７のいずれか１項に記載の乳房撮影装置。
【請求項１９】
前記第２の撮影手段において撮影する乳房を支持する乳房支持部の下部は湾曲し、前記乳房支持部の上部は開いていることを特徴とする請求項１８に記載の乳房撮影装置。
【請求項２０】
放射線を発生させる放射線発生部と、前記放射線発生部から照射された放射線を検出する放射線検出部とを備え、
前記放射線発生部と前記放射線検出部を対向させた状態で回転させることが可能な乳房撮影装置であって、
前記乳房撮影装置における第１の側において乳房を圧迫してマンモ撮影を行う第１の撮影手段と、
前記乳房撮影装置における前記第１の側と反対の第２の側においてＣＴ撮影を行う第２の撮影手段と、を備えることを特徴とする乳房撮影装置。
【請求項２１】
放射線を発生させる放射線発生部と、前記放射線発生部から照射された放射線を検出する放射線検出部とを備え、
前記放射線発生部と前記放射線検出部を対向させた状態で回転させることが可能な乳房撮影装置であって、
前記乳房撮影装置における第１の側において圧迫板を用いてマンモ撮影を行う第１の撮影手段と、
前記乳房撮影装置における前記第１の側と反対の第２の側において前記放射線発生部と前記放射線検出部を回転させてＣＴ撮影を行う第２の撮影手段と、を備えることを特徴とする乳房撮影装置。
【発明の詳細な説明】
【技術分野】
【０００１】
本発明は、放射線を用いて乳房撮影を行う乳房撮影装置に関する。
【背景技術】
【０００２】
乳房撮影装置として、放射線を発生させる放射線発生部と放射線を検出する放射線検出部を用いて乳房を撮影する装置がある。また、同じ乳房撮影装置でマンモ撮影とＣＴ撮影の両方の撮影を行うことが行われている（例えば、特許文献１）。
【先行技術文献】
【特許文献】
【０００３】
【特許文献１】特表２０１３−５３８６６８公報
【発明の概要】
【発明が解決しようとする課題】
【０００４】
特許文献１の乳房撮影装置では、ＣＴ撮影を行う場合、２つのプレートとの間で、患者の乳房を固定している。よって、乳房を適切に保持した状態で撮影を行うことが困難である。
【０００５】
本発明は、患者の乳房を適切に保持した状態でマンモ撮影とＣＴ撮影の両方の撮影を行うことができる乳房撮影装置を提供することを目的とする。
【課題を解決するための手段】
【０００６】
上記の目的を達成するための本発明の一態様による乳房撮影装置は以下の構成を備える。すなわち、
放射線を発生させる放射線発生部と、前記放射線発生部から照射された放射線を検出する放射線検出部とを備え、前記放射線発生部と前記放射線検出部を対向させた状態で回転させることが可能な乳房撮影装置であって、
前記乳房撮影装置における第１の側において被検者の乳房を圧迫板で圧迫させた状態で撮影する第１の撮影手段と、
前記乳房撮影装置における前記第１の側と反対の第２の側において前記被検者の乳房を前記放射線発生部と前記放射線検出部との間に侵入させた状態で前記放射線発生部と前記放射線検出部を回転させて撮影する第２の撮影手段とを備える。
【発明の効果】
【０００７】
本発明によれば、患者の乳房を適切に保持した状態でマンモ撮影とＣＴ撮影の両方の撮影を行うことができる。
【図面の簡単な説明】
【０００８】
【図１】実施形態に係る乳房撮影装置のマンモグラム撮影時の外観を示す図。
【図２】実施形態に係る乳房撮影装置のマンモグラム撮影時の外観を示す図。
【図３】実施形態に係る乳房撮影装置のＣＢＣＴ撮影時の外観を示す図。
【図４】実施形態に係る乳房撮影装置のＣＢＣＴ撮影時の外観を示す図。
【図５】第１実施形態による乳房撮影装置の撮影動作を説明する図。
【図６】第２実施形態による乳房撮影装置の撮影動作を説明する図。
【図７】第３実施形態の乳房撮影装置の外観を示す図。
【図８】ＣＴ撮影側から見た本発明の乳房撮影装置の外観を示す図。
【図９】第３実施形態の乳房撮影装置の断面図。
【図１０】マンモ撮影側から見た本発明の乳房撮影装置の外観を示す図。
【図１１】第３実施形態の乳房撮影装置の構成を示す図。
【図１２】第３実施形態の乳房撮影装置の上下駆動部の構成を示す図。
【図１３】第３実施形態の乳房撮影装置の回転駆動部による回転形態を示す図。
【図１４】第３実施形態の乳房撮影装置のガントリからフロントカバーが取り外された形態を示す図。
【発明を実施するための形態】
【０００９】
以下、添付の図面を参照して、本発明の好適な実施形態のいくつかについて説明する。
【００１０】
＜第１実施形態＞
図１は、第１実施形態に係る乳房撮影装置１００の外観を示す図である。第１実施形態では、放射線撮影装置として、マンモグラム撮影とＣＴ撮影が可能な乳房撮影装置１００を用いて説明する。本実施形態の乳房撮影装置１００は、
・放射線源としての放射線管球１１（たとえばＸ線管球）を有し、放射線を発生する放射線発生部１０と、
・たとえば、ＦＰＤ（Flat Panel Detector）等の放射線検出器２１を有し、放射線発生部１０から照射された放射線を検出する放射線検出部２０と、
・放射線発生部１０と放射線検出部２０を対向させた状態で回転させることが可能な回転部と、を有する放射線撮影部２を備えている。放射線撮影部２の回転部は、たとえば放射線発生部１０と放射線検出部２０が対向して配置、固定されたリング状の回転フレーム６と、回転フレーム６を回転可能に収容した固定フレーム５とを含む。
【００１１】
放射線撮影部２は、マンモグラム撮影のために、圧迫板３と放射線検出部２０との間に回転フレーム６の回転面の第１の側（矢印１０１ａの側）から撮影対象部位である被検者の乳房を侵入させるように構成されている。また、放射線撮影部２は、ＣＴ撮影（本実施形態ではＣＢＣＴ撮影）のために、回転フレーム６の回転面の上記第１の側とは反対の第２の側（図３の矢印１０１ｄ）から、放射線発生部１０と放射線検出部２０との間に撮影対象部位を侵入させるように構成されている。すなわち、乳房撮影装置１００の放射線撮影部２は、
・乳房撮影装置１００における第１の側において被検者の乳房を圧迫板３で圧迫させた状態で撮影する第１の撮影の態様と、
・乳房撮影装置１００における第１の側と反対の第２の側において被検者の乳房を放射線発生部１０と放射線検出部２０との間に侵入させた状態で放射線発生部１０と放射線検出部２０を回転させて撮影する第２の撮影の態様と、
を実現することができる。ここで、第１の側から被検者の乳房を挿入した撮影はマンモグラム撮影であり、第２の側から被検者の乳房を挿入した撮影はマンモＣＴ撮影となる。
【００１２】
図１は、乳房撮影装置１００でマンモグラムのＣＣ（頭尾方向：Caranio Caudal view）の撮影を行う状態を示しており、放射線管球１１、圧迫板３、放射線検出器２１が垂直方向に並ぶように回転フレーム６の回転位置が決定されている。圧迫板支持部３１は、圧迫板３を支持するとともに、圧迫板３を所定方向１０２ｂ（たとえば、圧迫板支持部３１が回転フレーム６に装着された状態で回転フレーム６の回転中心へ向かう方向）に移動させる。また、圧迫板支持部３１は、回転フレーム６に対して着脱可能に設置されている。なお、圧迫板支持部３１は、回転フレーム６と一体化された構成要素、例えば、放射線検出部２０、検出器移動部２３、昇降部２４などに対して着脱可能に設置されていてもよい。撮影技師は圧迫板支持部３１を圧迫板３とともに取り外すことができる。撮影技師は、圧迫板支持部３１によって圧迫板３を移動させることにより、圧迫板３と放射線検出部２０との距離を調整することができる。このような圧迫板３の移動により、被検者の乳房を圧迫することができる。マンモグラム撮影において、圧迫板３と放射線検出部２０との間に配置された乳房は、圧迫板３と放射線検出部２０との間で圧迫されて放射線撮影される。
【００１３】
放射線撮影部２の固定フレーム５は、固定軸４３を介して支柱部４の支柱可動部４１に支持されている。支柱部４では、支柱可動部４１が支柱固定部４２に対して昇降可能になっている。これにより、放射線発生部１０と放射線検出部２０を有する放射線撮影部２は、支柱部４に上下方向（矢印１０２ａ）への移動が可能に支持される。また、支柱部４（支柱固定部４２）は、車輪７１を有する台車７に固定されており、乳房撮影装置１００に可搬性が提供されている。なお、支柱部４は必ずしも台車７に固定されている必要はなく、たとえば、フロアに据え付けられるような形態であってもかまわない。
【００１４】
支柱部４と放射線撮影部２を接続する固定軸４３の先端には円弧状の回転モータ５１（リニアモータ）が取り付けられ、回転モータ５１にベアリングを介して回転フレーム６が回転可能に接続されている。固定フレーム５は、固定軸４３に固定的に連結され、回転フレーム６を内包し、固定フレーム５と回転フレーム６の間隙にはベアリングが配置される。回転モータ５１の駆動により、回転フレーム６は固定フレーム５に対して矢印１０２ｃに示されるように回転する。
【００１５】
マンモグラムのＣＣの撮影では、図１に示すように、放射線管球１１、放射線検出器２１と圧迫板３が垂直方向に並ぶ状態とする。これに対して、乳房撮影装置１００でマンモグラムのＭＬＯ（内外斜方向：Mediolateral Oblique view）の撮影を行う場合は、図２に示されるように、図１の状態から回転フレーム６を所定角度（例えば約６５度）回転させて停止した状態とする。なお、回転フレーム６の停止状態の維持は、サーボでも行ってもブレーキで行っても良い。撮影対象部位である乳房は放射線検出器２１と圧迫板３の間に圧迫されて放射線撮影される。このようなＭＬＯの撮影により、腋窩の撮影が可能になる。
【００１６】
図１に戻り、マンモグラム撮影において、撮影技師は、矢印１０１ｂに示されるように回転フレーム６の中空部を経由して被検者の乳房にアクセスし、乳房撮影装置１００の放射線検出器２１と圧迫板３の間に乳房を配置させて圧迫調整する。また、マンモグラム撮影時における乳房の挿入側である第１の側において、放射線管球１１、放射線検出器２１、圧迫板３が回転フレーム６の回転面に対して第１の方向へ張り出すように固定される。そのため、撮影技師は、矢印１０１ｃで示されるように、乳房撮影装置１００の側面（回転面と被検者との間）より被検者の乳房にアクセスし圧迫調整することも可能である。
【００１７】
以上が、乳房撮影装置１００のマンモグラム撮影時の構成である。次に、乳房撮影装置１００によるＣＴ撮影について説明する。放射線発生部１０は、マンモグラム撮影とＣＴ撮影のために、放射線管球１１を回転フレーム６の回転軸方向（矢印１０２ｅ）へ移動して配置可能とする放射線源移動部１２を有する。放射線源移動部１２は、たとえば放射線管球１１が摺動するレールを具備し、撮影技師が放射線管球１１を手動で移動させることができる。或いは、リニアモータ等の駆動力により放射線管球１１が矢印１０２ｅの方向へ移動するようにしてもよい。また、放射線検出部２０は、マンモグラム撮影とＣＴ撮影のために、放射線検出器２１を回転フレーム６の回転軸方向（矢印１０２ｄ）へ移動して配置可能とする検出器移動部２３を有する。検出器移動部２３は、放射線検出器２１が摺動するレールを具備し、撮影技師が放射線検出器２１を矢印１０２ｄの方向へ移動させることができる。或いは、リニアモータ等の駆動力により放射線検出器２１が矢印１０２ｄの方向へ移動するようにしてもよい。さらに、放射線検出部２０は、マンモグラム撮影とＣＴ撮影のために、放射線検出器２１を回転フレーム６の回転中心方向（矢印１０２ｂ）へ移動する昇降部２４を有する。
【００１８】
図３は、本実施形態の乳房撮影装置１００により被検者の乳房のＣＴ撮影（本実施形態ではＣＢＣＴ撮影）を行う際の状態を示す。また、図４は、被検者の乳房の挿入方向である矢印１０１ｄの方向からの乳房撮影装置１００の外観図である。ＣＢＣＴ撮影時においては、マンモグラム撮影時の乳房の挿入側（第１の側）とは反対側である第２の側から乳房が挿入される（矢印１０１ｄ）。また、放射線源移動部１２と検出器移動部２３により、放射線管球１１と放射線検出器２１が第１の側とは反対の第２の側に移動、配置される。上述のように、放射線源移動部１２、検出器移動部２３は、モータ駆動等により放射線管球１１や放射線検出器２１を移動するようにしてもよいし、手動で移動する構成としてもよい。第１の側から挿入された乳房に対してマンモグラム撮影を実施し、第２の側から挿入された乳房に対してＣＢＣＴ撮影を実施できる位置に放射線管球１１と放射線検出器２１を配置できる構成であればよい。
【００１９】
なお、圧迫板支持部３１および圧迫板３は回転フレーム６に対して、すなわち放射線撮影部２に対して着脱可能となっている。圧迫板支持部３１および圧迫板３が回転フレーム６に設置されたままであると、撮影技師がＣＢＣＴ撮影時を行う際に、被検者の乳房へのアクセスの邪魔となる。したがって、ＣＢＣＴ撮影時には図３、図４に示されるように圧迫板支持部３１は圧迫板３とともに回転フレーム６から取外される。
【００２０】
放射線検出部２０の昇降部２４は、放射線検出器２１を回転フレーム６の回転中心へ向けて移動することにより、放射線発生部１０（放射線管球１１）と放射線検出器２１部との距離を変更する。これにより、放射線管球１１と放射線検出器２１の位置関係がＣＢＣＴ撮影に適した配置となる。また、放射線撮影部２（固定フレーム５）の第２の側にはフロントカバー８が着脱可能に設けられている。フロントカバー８は円形であり、円形の固定フレーム５に対して着脱可能に設置されている。なお、フロントカバー８は、回転フレーム６の回転に対して不動となる部材に固定されていればよく、たとえば、固定軸４３に設置されてもよい。フロントカバー８には撮影対象部位である被検者の乳房を侵入させるための開口８１が設けられている。具体的には、フロントカバー８の中心部には、被検者の乳房を侵入させるための円形の開口８１が設けられている。また、フロントカバー８は、開口８１の周囲に、開口８１から侵入させた乳房を支持するための支持台としての乳房台８２を有する。なお、実施形態では乳房支持台８２がフロントカバー８に固定されているがこれに限られるものではない。たとえば、乳房支持台８２は固定フレーム５に支持部材を介して固定されてもよい。ＣＢＣＴ撮影中は、回転フレーム６が固定フレーム５に対して回転しながら放射線画像を撮影し、再構成部（不図示）で３Ｄ再構成画像が計算される。固定フレーム５に固定されたフロントカバー８は、撮影中に回転する放射線発生部１０や放射線検出部２０と、被検者（不図示）の空間を分離している。被検者の乳房は、乳房台８２の上に保持されるので撮影中は固定されている。
【００２１】
なお、上記例では、乳房台８２がフロントカバー８の開口部の周囲に沿って接続された例を示したがこれに限られるものではない。たとえば、乳房台８２は、ＣＢＣＴ撮影中において回転フレーム６の回転に対して不動に保持されていればよいので、たとえば、固定フレーム５に連結されていてもよい。ただし、乳房台８２をフロントカバー８に接続した方が、固定フレーム５と乳房台８２を接続する支持部材が不要となるので、撮影技師による矢印１０１ｅの方向からの被検者の乳房へのアクセスがし易くなる。乳房台８２は乳腺構造を３次元に自由に分布させる為に乳房を圧迫しないことが望ましいが、３次元分布を損なわない程度に圧迫してもよい（図示しない）。また、図３では、フロントカバー８は取り外し可能な形態としているが、マンモグラム撮影に支障がないような開閉構造にしても良い。
【００２２】
撮影技師は、矢印１０１ｅに示されるように、固定フレーム５および回転フレーム６の第１の側から、フロントカバー８の開口８１を経由して被検者の乳房にアクセスし、乳房台８２の上に被検者の乳房を載せる。なお、フロントカバー８は両側から透明であってもよいが、被検者側（矢印１０１ｄの側）からは不透明であり撮影技師側（図１の矢印１０１ａの側）からは透明であるようにしても良い。被検者側から不透明とすることによりフロントカバー８越しに放射線発生部１０や放射線検出部２０が動くことによる恐怖心を回避することができ、撮影技師側から透明とすることにより被検者の状態の確認、被検者の乳房へのアクセスが容易になるからである。
【００２３】
図５（ａ）（ｂ）は、本実施形態の乳房撮影装置１００によるマンモグラム撮影時の状態とＣＢＣＴ撮影時の状態を示す図である。図示のように、回転フレーム６に対してマンモグラム撮影とＣＢＣＴ撮影で被検者のアクセス面が反対になる。マンモグラム撮影時の被検者のアクセス面の側を第１の側１１１、ＣＢＣＴ撮影の被検者のアクセス面の側を第２の側１１２とする。
【００２４】
図５（ａ）は、マンモグラム撮影をする際の側面図である。第１の側１１１に被検者が立っている。図５（ａ）では回転フレーム６がＣＣ撮影に対応した位置にあるが、ＭＬＯ撮影時は回転フレーム６を約６５度回転させる（図２を参照）。放射線発生部１０において放射線管球１１は、放射線源移動部１２を経由して回転フレーム６に連結されており、放射線検出器２１、圧迫板支持部３１、圧迫板３等は、昇降部２４を経由して回転フレーム６に連結されている。
【００２５】
これらの構成を有する放射線発生部１０と放射線検出部２０により、放射線撮影部２は、マンモグラム撮影時とＣＴ撮影時で異なる撮影幾何学系を提供する。これにより、マンモグラム撮影とＣＢＣＴ撮影での異なる撮影幾何学系（ＳＩＤ（Source to Image Distance），ＳＯＤ（Source to Object Distance））を提供することができる。また、回転フレーム６及び固定フレーム５の回転面にたいして放射線管球１１及び放射線検出器２１が第１の側１１１に張り出しているので、マンモグラム撮影において撮影技師が被検者の乳房５００に側面からアクセスすることができる（図１の矢印１０１ｃ）。また、第２の側１１２に設置したフロントカバー８を取り外すことで、撮影技師は第２の側１１２より回転フレーム６の中空部を経由して被検者の乳房５００にアクセスすることができる（図１の矢印１０１ｂ）。
【００２６】
また、放射線管球１１の前面には放射線絞り１３が設置され、放射線検出器２１の前面には散乱線低減用のグリッド２２が配置される。放射線絞り１３は、マンモグラム撮影とＣＢＣＴ撮影で撮影幾何学系が異なるため、マンモグラム撮影かＣＢＣＴ撮影かに応じて開口形状を変形させることができる。なお、放射線絞り１３の開口形状の変形は、撮影技師による切り替え操作に応じて開口形状が変形する構成により実現されてもよいし、放射線絞り１３の交換により実現されてもよい。また、グリッド２２の縞の方向、縞の周波数、格子比も、マンモグラム撮影かＣＢＣＴ撮影かに応じて設定される。たとえば、撮影技師がマンモグラム撮影時とＣＢＣＴ撮影時とでグリッドを交換するなどして、それぞれの撮影に対応させることができるようになっている。
【００２７】
図５（ｂ）は、ＣＢＣＴ撮影する際の側面図を示している。本実施形態の乳房撮影装置１００において、撮影技師は、図５（ａ）に示されるマンモグラム撮影の形態から図５（ｂ）に示されるＣＢＣＴ撮影の形態へ容易に変更することができる。すなわち、撮影技師は、図５（ａ）に示される乳房撮影装置１００から、圧迫板３をとり外し、放射線管球１１を第２の側１１２へ移動し、放射線検出器２１を第２の側１１２へ移動し、昇降部２４により放射線検出器２１を図中の上方向へ移動する。なお、放射線検出器２１を左右方向へ移動する構成は、たとえば、昇降部２４を軸として放射線検出器を回転させることにより実現されてもよい。但し、放射線検出器２１の回転により放射線検出器２１と回転フレーム６とが干渉する場合は、たとえば、昇降部２４により放射線検出器２１を回転フレーム６の中心付近に上昇させてから回転を行えるように構成する。また、図５（ｂ）に示されるＣＢＣＴ撮影の形態から図５（ａ）に示されるマンモグラム撮影の形態へ変更する場合は、たとえば、撮影技師は、放射線管球１１と放射線検出器２１を第１の側１１１へ移動し、昇降部２４により放射線検出器２１を図中の下方向へ移動し、圧迫板３（圧迫板支持部３１）を放射線検出部２０に装着する。
【００２８】
ＣＢＣＴ撮影では、第２の側１１２に被検者が立っている。支柱可動部４１の昇降により、被検者の乳房５００と開口８１の高さを合わせることができる。たとえば、矢印１３１で示される距離だけ放射線撮影部２を下降させることにより、被検者の乳房５００と開口８１の高さを合わせる。上述したように圧迫板支持部３１と圧迫板３は取り外し可能な構造であって、ＣＢＣＴ撮影の際には取外される。また、マンモグラム撮影とＣＢＣＴ撮影で被検者のアクセス面が異なるので、放射線管球１１は第１の側１１１から第２の側１１２へ移動する際に１８０度回転するように設置される。図５（ａ）と図５（ｂ）の放射線ビーム形状１２１、１２２で示すように、被検者の胸壁部ブラインドエリア（撮影されない領域）を小さくするように放射線ビームが形成される。このように放射線ビームが非対称であるため、放射線管球１１の回転が必要である。なお、放射線管球１１を回転せず、放射線絞り１３によりそれぞれの撮影に応じた放射線ビームを成形するようにしても良い。すなわち、放射線発生部１０は、放射線源としての放射線管球１１からの放射線形状（放射線の放射形状）を、マンモグラム撮影とＣＢＣＴ撮影とで、回転フレーム６の回転中心からの放射方向を軸として１８０度回転させた状態とすることができるようにしている。
【００２９】
また、検出器移動部２３は、マンモグラム撮影とＣＢＣＴ撮影で、放射線検出器２１を、回転フレーム６の回転中心からの放射方向を軸として１８０度回転させた状態で装着可能とする。マンモグラム撮影とＣＢＣＴ撮影で被検者のアクセス面が異なるためである。たとえば、図５（ａ）（ｂ）に示されるように、乳房撮影用の放射線検出器２１は、胸壁部のブラインドエリアを小さくする為に検出エリア２１０の一つの辺のみが狭ギャップ（センサー外枠から検出エリア２１０迄の距離が５ｍｍ以下）になっている。そのため、図５（ａ）、（ｂ）に示されるように、狭ギャップ側を被検者に向けるように放射線検出器２１を１８０度回転するように移動設置することができるようにしている。なお、昇降部２４を軸として放射線検出器２１を回転させることで放射線検出器２１を移動させる構成の場合には、その回転により狭ギャップ側を被検者に向くようになる。
【００３０】
なお、ＣＢＣＴ撮影では、撮影技師は、フロントカバー８の反対側（第１の側１１１）からフロントカバー８の開口８１を経由して被検者の乳房にアクセスし、被検者の乳房５００の大部分が乳房台８２に載るように手技をする。
【００３１】
上述したように、マンモグラム撮影とＣＢＣＴ撮影では、ＳＯＤ、ＳＩＤが異なるので、昇降部２４は放射線検出器２１を回転フレーム６の回転軸に直交するように移動する。ＳＯＤは、放射線焦点と乳房中心との間の距離であり、ＳＩＤは放射線焦点と放射線検出器面との間の距離である。ＳＯＤ、ＳＩＤの例としては、マンモグラムではＳＯＤ＝６０ｃｍ、ＳＩＤ＝６５ｃｍ、ＣＢＣＴ撮影ではＳＯＤ＝３５ｃｍ、ＳＩＤ＝５０ｃｍである。なお、放射線検出器２１の移動に加えてあるいはこれに代えて、放射線管球１１を回転フレーム６の回転軸に直交するように移動するようにしてもよい。しかしながら、放射線管球１１は放射線検出器２１に比べて重量が大きいので、放射線管球１１を移動させずに放射線検出器２１だけを移動させてＳＯＤ、ＳＩＤ変更に対応することが望ましい。その場合、ＣＢＣＴ撮影を基準に放射線管球１１を固定し、放射線検出器２１のみ動かしてＳＯＤ、ＳＩＤの変更に対応すれば良い。また、回転フレーム６にはカウンターバランス（図示しない）が設置されるが、カウンターバランスは、ＣＢＣＴ撮影時の放射線管球１１と放射線検出器２１の位置を基準にして配置される。ＣＢＣＴ撮影では回転速度の安定性が要求されるが、マンモグラム撮影では回転速度の安定性が要求されないからである。
【００３２】
また、放射線絞り１３の開口形状はＣＢＣＴ撮影に合わせた形状に設定され、グリッド２２の縞の方向、縞の周波数、格子比がＣＢＣＴ撮影に応じて設定される。なお、ＣＢＣＴ撮影の際には、回転フレーム６の回転軸２５に直交するようにグリッド線が延びるようにグリッド２２が設置される。再構成画像にリングアーチファクトが発生しないようにするためである。また、ＣＢＣＴ撮影の際は、マンモグラムに比して画素ピッチを大きくしてデータ収集する可能性があるので、マンモグラムに比してグリッド周波数は低くてよい。さらに、ＣＢＣＴ撮影の際は、マンモグラム撮影に比して撮影管電圧が高いので、マンモグラム撮影に比してグリッドの格子比を大きくする。
【００３３】
以上のように、第１実施形態の乳房撮影装置１００によれば、マンモグラム撮影とＣＴ撮影を容易に実施することができる。たとえば、ＣＢＣＴ撮影で病変部が見つかった場合に、リンパ節転移の確認をおこなうための腋窩を含むマンモグラム撮影を、ＣＢＣＴ撮影と同一の装置で行うことができる。また、マンモグラム撮影でデンスブレストの場合に、或いは何らかの病気が疑われる場合に、ＣＢＣＴ撮影をマンモグラム撮影と同一の装置で行える。以上より、マンモグラム撮影とＣＢＣＴ撮影を容易に連携させることができ、撮影のスループットを上げることが可能になる。
【００３４】
＜第２実施形態＞
第１実施形態では、マンモグラム撮影とＣＢＣＴ撮影のために、１つの放射線管球１１および１つの放射線検出器を移動していた。第２実施形態では、マンモグラム撮影用、ＣＢＣＴ撮影用にそれぞれ放射線管球１１及び放射線検出器２１を配置し、回転フレーム６の回転軸方向への放射線管球１１や放射線検出器２１の移動（放射線源移動部１２、検出器移動部２３）を不要とする。
【００３５】
図６（ａ）は、第２実施形態の乳房撮影装置１００のマンモグラム撮影時の放射線撮影部２の状態を示す図である。また、図６（ｂ）は、第２実施形態の乳房撮影装置１００のＣＢＣＴ撮影時の放射線撮影部２の状態を示す図である。放射線発生部１０は、マンモグラム撮影用の放射線管球１１ａとＣＢＣＴ撮影用の放射線管球１１ｂを有する。また、大きな検出面積を有する放射線検出器２１ａは、第１の側１１１からのマンモグラフ撮影と第２の側１１２からのＣＢＣＴ撮影の両方に対応する。
【００３６】
以上のような第２実施形態による乳房撮影装置１００において、マンモグラム撮影の形態からＣＢＣＴ撮影の形態へ変更するために、撮影技師は圧迫板３（圧迫板支持部３１）を取り外し、放射線検出部２０を上方向へ移動する。そして、撮影技師は、使用する放射線管球を、放射線管球１１ａから放射線管球１１ｂに切り換える。また、ＣＢＣＴ撮影の形態からマンモグラム撮影の形態へ変更する場合には、撮影技師は、放射線検出部２０を下方向へ移動し、圧迫板３（圧迫板支持部３１）を放射線検出部２０に装着する。そして、撮影技師は、使用する放射線管球を、放射線管球１１ｂから放射線管球１１ａに切り替える。このように、第２実施形態では、マンモグラム撮影の形態とＣＢＣＴ撮影の形態の間の切り換えに際して、第１実施形態で行っていた放射線管球１１や放射線検出器２１を第２の側１１２へ移動する操作は不要となる。
【００３７】
図６（ｃ）に示されるように、放射線検出器２１ａは、大面積の検出エリア２１０ｃあるいは２つの検出エリア２１０ａと２１０ｂを含み、第１の側１１１と第２の側１１２の両側が挟ギャップに構成されていることが好ましい。なお、グリッド２２は、検出エリア２１０ａ、２０１ｂのそれぞれの領域において、マンモグラム撮影とＣＢＣＴ撮影に適したグリッド構成を有している。なお、大面積の放射線検出器２１ａの代わりに、第１実施形態で用いたような放射線検出器２１を２つ配置する構成としてもよい。但し、放射線検出器２１を２つ配置する構成とした場合には、マンモグラム撮影とＣＢＣＴ撮影の切り換えにおいて、撮影技師が使用する放射線検出器を切り換える必要がある。
【００３８】
以上のような第２実施形態によれば、放射線管球や放射線検出器を回転フレーム６の回転軸方向へ移動する構成が不要となる。なお、図６に示されるように放射線管球を２個配置するが、放射線検出器２１については図５に示すような検出器移動部２３により移動する構成としてもよい。また、大面積の放射線検出器２１ａ、あるいは放射線検出器２１を２つ配置し、放射線管球１１は放射線源移動部１２により移動する構成としても良い。
【００３９】
なお、上記各実施形態において、放射線撮影部２の回転部を構成する固定フレーム５や回転フレーム６はリング状であるとしたが、これに限られるものではない。たとえば、回転フレーム６は半円状のフレームであってもよい。また、たとえば固定フレーム５の外形は円形ではなく、矩形であってもよい。また、上記実施形態では、固定フレーム５が回転フレーム６の全周を囲むようにしているが、これに限られるものではなく、たとえば固定フレーム５を円弧状として、リング状の回転フレーム６の一部を支持するようにしてもよい。また、上記各実施形態において、放射線撮影部２が支柱部４に対して横方向に装着された例を示したがこれに限ら得るものではない。放射線撮影部２は、支柱部４に対して上下方向への移動が可能に支持されていればよく、たとえば、支柱部４の上部に放射線撮影部２が固定された構成であってもよい。
【００４０】
＜第３実施形態＞
図７は、乳房撮影装置１１００の外観を示す図である。乳房撮影装置１１００は、マンモ撮影とＣＴ撮影を行うことができる。マンモ撮影とＣＴ撮影を行う際、被検者は立位である。立位とは、被検者は、床面に両足が置かれ、床面に立った状態である。つまり、乳房撮影装置１１００は、立位用の乳房撮影装置である。
【００４１】
乳房撮影装置１１００は、放射線を発生する放射線発生部１０１０と、放射線発生部１０１０から照射された放射線を検出する放射線検出部１０１２とを有し、放射線発生部１０１０と放射線検出部１０１２を対向させた状態で回転させることが可能である。撮影部１１０２は、主に放射線発生部１０１０と放射線検出部１０１２とからなる。
【００４２】
そして、乳房撮影装置１１００における第１の側から被検者の撮影対象部位（乳房）を圧迫板１０１４で挟んだ状態で撮影する。ここでは、撮影対象部位（乳房）を圧迫板１０１４と放射線検出部１０１２との間に挟む。なお、放射線検出部１０１２の上面にグリッド（図示しない）を備え、被検者の撮影対象部位（乳房）を圧迫板１０１４とグリッドとの間に挟んだ状態で撮影してもよい。つまり、乳房撮影装置１１００は、マンモ撮影モードの第１の撮影手段を有している。そして、乳房撮影装置１１００における第１の側と反対の第２の側から被検者の撮影対象部位（乳房）を放射線発生部１０１０と放射線検出部１０１２との間に挿入させた状態で放射線発生部１０１０と放射線検出部１０１２を回転させて撮影する。つまり、乳房撮影装置１１００は、ＣＴ撮影モードの第２の撮影手段を有している。
【００４３】
また、乳房撮影装置１１００は、放射線発生部１０１０と放射線検出部１０１２を回転可能に支持するガントリ１０３０と、床面に対してガントリ１０３０を支持する支持脚部１０４０を備えている。すなわち、ガントリ１０３０は、撮影部１１０２を回転可能に支持する。
【００４４】
マンモ撮影を行う場合、乳房撮影装置１００における第１の側（図中右側）から被検者の撮影対象部位（乳房）を圧迫板１０１４と放射線検出部１０１２との間に挟んだ状態で撮影する。圧迫板１０１４は、透明な材質であり、放射線を透過する材質である。具体的には、圧迫板１０１４を上下動させることにより、被検者の乳房を圧迫板１０１４と放射線検出部１０１２との間に挟むことができる。圧迫板１０１４と放射線検出部１０１２との間に被検者の乳房を挟んだ状態で、放射線発生部１０１０によって放射線を発生させる。放射線検出部１０１２が被検者の乳房を透過した放射線を検出することにより、被検者の乳房を撮影することができる。乳房撮影装置１１００は、撮影された放射線データに基づいてマンモ画像を生成することができる。
【００４５】
ＣＴ撮影を行う場合、乳房撮影装置１１００における第１の側と反対の第２の側（図中左側）から被検者の撮影対象部位（乳房）を放射線発生部１０１０と放射線検出部１０１２との間に挿入する。そして、この状態で放射線発生部１０１０と放射線検出部１０１２を回転フレーム１０３８（図９の参照により後述する）で回転させて撮影する。具体的には、乳房撮影装置１１００のガントリ１０３０には、被検者の乳房を挿入するための開口１０２０が設置されている。被検者の乳房を開口１０２０に挿入させた状態で放射線発生部１０１０と放射線検出部１０１２を回転フレーム１０３８で回転させて撮影する。放射線発生部１０１０と放射線検出部１０１２を回転フレーム１０３８で回転させている間、放射線発生部１０１０によって放射線を発生させている。放射線検出部１０１２は被検者の乳房を透過した放射線を検出することにより、被検者の乳房を撮影することができる。乳房撮影装置１１００は、撮影された放射線データを再構成することにより、ＣＴ画像を生成することができる。
【００４６】
乳房撮影装置１１００における第１の側は、マンモ撮影側であり、乳房撮影装置１１００における第２の側は、ＣＴ撮影側である。第１の側（マンモ撮影側）と第２の側（ＣＴ撮影側）を水平に結んだ線は、回転フレーム１０３８の回転軸と略平行になる。また、第１の側（マンモ撮影側）と第２の側（ＣＴ撮影側）を水平に結んだ線は、略平板状のガントリ１０３０の平面、若しくはフロントカバー１０２６（図８の参照により後述する）の平面と直交する。乳房撮影装置１１００における第１の側（マンモ撮影側）と第２の側（ＣＴ撮影側）は、乳房撮影装置１１００の略平板状のガントリ１０３０、フロントカバー１０２６、撮影部１１０２によって、分割される領域である。
【００４７】
ここで、図８〜図１０を用いて、乳房撮影装置１００を具体的に説明する。図８は、ＣＴ撮影側から見た乳房撮影装置１１００の外観を示す図である。図９は、乳房撮影装置１１００の断面図である。乳房撮影装置１１００の断面図は、図８の乳房撮影装置１１００の鉛直方向に伸びる中心線（一点鎖線）による断面図である。図１０は、マンモ撮影側から見た乳房撮影装置１１００の外観を示す図である。
図８に示すように、ＣＴ撮影側のガントリ１０３０には、ＣＴ撮影時に回転する放射線発生部１０１０と放射線検出部１０１２から被検者を保護するフロントカバー１０２６が設置されている。フロントカバー１０２６は、ＣＴ撮影を行う被検者の乳房を挿入するための開口１０２０を有している。また、ＣＴ撮影側のガントリ１０３０には、ＣＴ撮影を行う被検者が把持するための複数の把持部１０２２ａ、１０２２ｂ、１０２２ｃ、１０２２ｄが設置されている。複数の把持部１０２２ａ、１０２２ｂ、１０２２ｃ、１０２２ｄは、凹形状で形成されている。また、ＣＴ撮影側の支持脚部１０４０には、ＣＴ撮影を行う被検者の足を挿入するための切り欠き部１０４８が設置されている。
【００４８】
図１０に示すように、マンモ撮影側のガントリ１０３０には、マンモ撮影を行う被検者の乳房を圧迫する圧迫板１０１４が設置されている。また、マンモ撮影側のガントリ１０３０には、被検者を不要な被曝から保護するための保護板１００４が設置されている。また、マンモ撮影側のガントリ１０３０には、マンモ撮影を行う被検者が把持するための把持部１０７０が設置されている。把持部１０７０は、凸形状で形成されている。また、マンモ撮影側の支持脚部１０４０には、マンモ撮影を行う被検者の足を挿入するための切り欠き部１０４８が設置されていない。
【００４９】
図１１は、乳房撮影装置１１００の構成図を示すものである。乳房撮影装置１１００は、放射線発生部１０１０と放射線検出部１０１２を対向させた状態で放射線発生部１０１０と放射線検出部１０１２を回転させる回転駆動部１１１２を備えている。また、乳房撮影装置１１００は、圧迫板１０１４を上下動させる圧迫板駆動部１１１４と、支持脚部１０４０に対してガントリ１０３０を上下動させる上下駆動部１１１６とを備えている。
【００５０】
乳房撮影装置１１００は、放射線発生部１０１０と、放射線検出部１０１２と、回転駆動部１１１２と、圧迫板駆動部１１１４と、上下駆動部１１１６とをそれぞれ制御する制御部１１１０を備えている。また、乳房撮影装置１１００は、制御部１１１０に対して指示を伝達する操作部１０５０、１０５２と操作卓１０９０とを備えている。ガントリ１０３０には、乳房撮影装置１１００を操作する操作部１０５０が設置され、放射線検出部１０１２を支持する支持台１００２には、操作部１０５０と同じ機能を持つ操作部１０５２が設置される。また、操作卓１０９０は撮影室外に設置されている。また、支持台１００２には、被検者の情報、放射線検出部１０１２ｂの高さ情報、放射線発生部１０１０ｂの線量情報、圧迫板１０１４による圧迫情報（Ｎ）のいずれか１つを表示する表示部が設置されていてもよい。
【００５１】
放射線発生部１０１０は、図示はしないが、主に電子を発生する電子放出源、ターゲットを備えている。電子放出源で発生した電子は、陰極と陽極との間の電位差により、ターゲット側に放出される。ターゲットは電子の衝突により放射線を発生する部材である。ターゲットから放射された放射線は、コーンビーム形状に成形されて外部に向けて照射される。制御部１１１０は、放射線発生部１０１０の撮影条件を制御することができる。
【００５２】
放射線検出部１０１２は、被検者を透過した放射線を光電変換素子によって検出し、電気信号として出力するものである。例えば、放射線検出部１０１２は、被検者を透過した放射線を検出する変換パネル、蓄電部、放射線から電気信号に変換された情報を出力するためのＩ／Ｆ（インタフェース）等よりなる。Ｉ／Ｆ（インタフェース）によって、制御部１１１０に電気信号を出力する。
【００５３】
＜ガントリ＞
図８〜図１０に示すように、ガントリ１０３０は、放射線発生部１０１０と放射線検出部１０１２を対向させた状態で回転させるためのリング状の回転フレーム１０３８と、回転フレーム１０３８を回転可能に支持するリング状の固定フレーム１０３０ａとを有している。なお、固定フレーム１０３０ａは円弧状であり、回転フレーム１０３８の一部を回転可能に支持してもよい。また、ガントリ１０３０は、固定フレーム１０３０ａに連結された長円筒状の長円筒部１０３０ｂを有している。回転フレーム１０３８と固定フレーム１０３０ａは、放射線発生部１０１０と放射線検出部１０１２を回転する回転部と称することもできる。固定フレーム１０３０ａと長円筒部１０３０ｂは一体形成されている。固定フレーム１０３０ａの方が長円筒部１０３０ｂよりも上部に位置している。長円筒部１０３０ｂは、ガントリ３０を床面に対して支持する支持脚部１０４０と連結されている。
【００５４】
ガントリ１０３０は、被検者が立位撮影を行うことができるように、鉛直方向に立設されている。放射線発生部１０１０と放射線検出部１０１２を回転する回転部（ガントリ１０３０における回転フレーム１０３８）の回転軸は水平方向である。長円筒部１０３０ｂは、支持脚部１０４０における長円筒部１０４２の外周を覆っている。つまり、支持脚部１０４０における長円筒部１０４２をガントリ１０３０における長円筒部１０３０ｂの内部に組み入れるようになっており、支持脚部１０４０における長円筒部１０４２とガントリ１０３０における長円筒部１０３０ｂは入れ子になっている。乳房撮影装置１１００は、支持脚部１０４０に対して長円筒部１０３０ｂの上下動を行う上下駆動部１１１６を備えている。すなわち、乳房撮影装置１１００は、ガントリ１０３０の上下動を行う上下駆動部１１１６を備えている。
【００５５】
図１２は、ガントリ１０３０を上下させる上下駆動部１１１６の構成を示す図である。ガントリ１０３０の内部と支持脚部１０４０の内部は互いに中空になっている。ガントリ１０３０の内部には、円形歯車１０８２と、円形歯車１０１０８２を回転可能に支持する支持する支持部１０８０が設置されている。円形歯車１０８２の回転軸は、水平面に対して平行である。支持部１０８０は、円形歯車１０８２の回転軸が水平面に対して平行となるように円形歯車１０８２を支持する。ガントリ１０３０の内部には、図示はしないが、円形歯車１０８２を回転させる駆動部（モータ）を備えている。
【００５６】
また、支持脚部１０４０の内部には、平板状の棒部材１０８４と、棒部材１０８４を支持する支持部１０８６が設置されている。平板状の棒部材１０８４は、支持脚部１０４０の長手方向（上下方向）に沿って設置されている。支持脚部１０４０の長手方向は、水平面に対して直交する方向である。平板状の棒部材１０８４は、支持脚部１０４０の内部とガントリ１０３０の内部をまたがって設置されている。なお、乳房撮影装置１１００は、ガントリ１０３０における長円筒部１０３０ｂと支持脚部１０４０における長円筒部１０４２の間の隙を埋め、ガントリ１０３０における長円筒部１０３０ｂと支持脚部１０４０における長円筒部１０４２のがたつきを抑えるための緩衝材１０８８を備えてもよい。
【００５７】
円形歯車１０８２と棒部材１０８４は、互いに噛み合っている。駆動部（モータ）によって、円形歯車１０８２に回転力を加えると棒部材１０８４を上下動させることができる。具体的には、駆動部（モータ）によって、円形歯車１０８２を左回りに回転させると、ガントリ１０３０に対して棒部材１０８４を下方向に移動させることができる。円形歯車１０８２を左回りに回転させると、円形歯車１０８２を支持する支持部１０８０と、棒部材１０８４を支持する支持部１０８６との距離が遠くなる。このように、上下駆動部１１１６における円形歯車１０８２を左回りに回転させると、ガントリ１０３０を上方向に移動させることができる。
【００５８】
また、駆動部（モータ）によって、円形歯車１０８２を右回りに回転させると、ガントリ１０３０に対して棒部材１０８４を上方向に移動させることができる。円形歯車１０８２を右回りに回転させると、円形歯車１０８２を支持する支持部１０８０と、棒部材１０８４を支持する支持部１０８６との距離が近くなる。このように、上下駆動部１１１６における円形歯車１０８２を右回りに回転させると、ガントリ１０３０を下方向に移動させることができる。
【００５９】
以上、乳房撮影装置１１００は、上下駆動部１１１６により、ガントリ１０３０を上下動させることができる。ガントリ１０３０を上下動させることにより、被検者の乳房の高さに合わせて、開口１０２０の高さを調整することができる。また、ガントリ１０３０を上下動させることにより、被検者の乳房の高さに合わせて、圧迫板１０１４と放射線検出部１０１２との間に挟む高さを調整することができる。なお、上下駆動部１１１６は、上記のようにラックアンドピニオン方式の一例を示したが、カムフォロアとガイドレールの組合せなどの他の形態であってもよい。
【００６０】
＜放射線発生部と放射線検出部＞
乳房撮影装置１１００は、放射線を発生させる放射線発生部１０１０と、放射線発生部１０１０から照射された放射線を検出する放射線検出部１０１２とを備え、放射線発生部１０１０と放射線検出部１２を対向させた状態で回転させることが可能である。
【００６１】
放射線発生部１０１０と放射線検出部１０１２は、ガントリ１０３０の固定フレーム１０３０ａに対して回転する回転フレーム１０３８に設置されている。ここでは、図９に示すように、乳房撮影装置１１００は、ＣＴ撮影用の放射線発生部１０１０ａ及び放射線検出部１０１２ａと、マンモ撮影用の放射線発生部１０１０ｂ及び放射線検出部１２ｂとをそれぞれ備えている。つまり、乳房撮影装置１００は、ＣＴ撮影用とマンモ撮影用の２組の放射線発生部及び放射線検出部を備えている。
【００６２】
ガントリ１０３０は、ＣＴ撮影用の放射線発生部１０１０ａ及び放射線検出部１０１２ａを対向させ、マンモ撮影用の放射線発生部１０１０ｂ及び放射線検出部１０１２ｂを対向させた状態で回転させるためのリング状の回転フレーム１０３８を有している。具体的には、ＣＴ撮影用として、回転フレーム１０３８には放射線発生部１０１０ａと放射線検出部１０１２ａが設置されている。放射線検出部１０１２ａは、放射線検出部１０１２ａを支持する支持台１００２を介して回転フレーム１０３８に設置されている。また、マンモ撮影用として、回転フレーム１０３８には放射線発生部１０１０ｂと放射線検出部１０１２ｂが設置されている。放射線検出部１０１２ｂは支持台１００２を介して回転フレーム１０３８に設置されている。
【００６３】
回転フレーム１０３８はベアリング構造を有した軸受けを介して、ガントリ１０３０の固定フレーム１０３０ａに連結されている。固定フレーム１０３０ａは、不動の状態であり、静止したフレームである。回転フレーム１０３８は、回転駆動部１１１２によって回転することができる。回転駆動部１１１２は、回転フレーム１０３８の回転軸が水平方向になるようにガントリ１０３０内部に設置されている。
【００６４】
また、支持台１００２には、圧迫板１０１４が上下動可能に設置されている。また、支持台１００２には、圧迫板１０１４を上下させる回転つまみ１０５４が設置されている。回転つまみ１０５４を回転して圧迫板１０１４を降下させることにより、被検者の乳房を圧迫板１０１４と放射線検出部１０１２ｂで挟み込むことができる。このように、支持台１００２は回転フレーム１０３８に設置され、支持台１００２は放射線検出部１０１２ａと放射線検出部１０１２ｂと圧迫板１０１４を支持する。回転駆動部１１１２によって回転フレーム１０３８を支持台１００２とともに回転させることにより、放射線検出部１０１２ａと放射線検出部１０１２ｂを回転させることができる。また、回転駆動部１１１２によって回転フレーム１０３８を回転させることにより、放射線発生部１０１０ａと放射線発生部１０１０ｂを回転させることができる。
【００６５】
図３に示すように、放射線発生部１０１０ａと放射線発生部１０１０ｂは、ほぼ同じ高さに設置されている。放射線検出部１０１２ａは、放射線検出部１０１２ｂよりも高い位置に設置されている。言い換えれば、回転部（回転フレーム１０３８）の回転軸に対して、放射線発生部１０１０ａと放射線発生部１０１０ｂが同じ位置（同じ距離）となるように、放射線発生部１０１０ａと放射線発生部１０１０ｂが設置されている。また、回転部（回転フレーム１０３８）の回転軸に対して、放射線検出部１０１２ａよりも放射線検出部１０１２ｂの方が外側に位置するように、放射線検出部１０１２ａと放射線検出部１０１２ｂが設置されている。
【００６６】
ＣＴ撮影を行う際に用いる放射線発生部１０１０ａと放射線検出部１０１２ａの間の距離は、マンモ撮影を行う際に用いる放射線発生部１０１０ｂと放射線検出部１０１２ｂの間の距離よりも短い。マンモ撮影を行う際、被検者の乳房が圧迫板１０１４と放射線検出部１０１２ｂで挟み込まれる。当該圧迫により、被検者の乳房が潰れて平板状になるため、放射線を照射する面積を増やしてＦＯＶ （Ｆｉｅｌｄ ｏｆ ｖｉｅｗ: 照射野）を確保しなければならない。そのため、マンモ撮影を行う際に用いる放射線検出部１０１２ｂは、ＣＴ撮影を行う際に用いる放射線検出部１０１２ａよりも低い位置に設置されている。
【００６７】
照射野１００８は、マンモ撮影用の放射線発生部１０１０ｂによる照射野である。放射線発生部１０１０ｂからの照射野１００８が圧迫板１０１４を含むように、放射線発生部１０１０ｂと放射線検出部１０１２ｂが設置されている。照射野１００８は、放射線発生部１０１０ｂの焦点を頂点として広がる四角錐形状（コーンビーム形状）となっている。図９に示すように、照射野１００８の一側端（左側）は、鉛直方向となっており、照射野１００８の他側端（右側）は斜め方向になっている。被検者の乳房周囲（腋窩）を撮影するために、マンモ撮影を行う被検者側（左側）の照射野１００８の端部（照射野端部、照射野端面）が鉛直方向となるように、放射線発生部１０１０ｂの照射野１００８が設定されている。
【００６８】
一方、ＣＴ撮影を行う際、回転フレーム１０３８の大きさ、乳房撮影装置１１００（ガントリ１０３０）全体の大きさがコンパクトになるように、放射線発生部１０１０ａと放射線検出部１０１２ａが設置されている。具体的には、放射線発生部１０１０ａと放射線検出部１０１２ａの間の距離をできるだけ短くなるように設置されている。乳房保持部１０３４の直下に放射線検出部１０１２ａが設置されている。回転フレーム１０３８によって放射線検出部１０１２ａを回転しても、放射線検出部１０１２ａが乳房保持部１０３４に接触しない位置に放射線検出部１０１２ａが設置されている。
【００６９】
照射野１００６は、ＣＴ撮影用の放射線発生部１０１０ａによる照射野である。ＣＴ撮影を行う被検者の乳房は乳房保持部１０３４上に保持されており、圧迫されていない。放射線発生部１０１０ａからの照射野６が乳房保持部１０３４の先端部を含むように、放射線発生部１０１０ａと放射線検出部１０１２ａが設置されている。照射野１００６は、放射線発生部１０１０ａの焦点を頂点として広がる四角錐形状（コーンビーム形状）となっている。図９に示すように、照射野１００６の一側端（右側）は、鉛直方向となっており、照射野１００６の他側端（左側）は斜め方向になっている。被検者の乳房周囲（腋窩）を撮影するために、ＣＴ撮影を行う被検者側（右側）の照射野１００６の端部（照射野端部、照射野端面）が鉛直方向となるように設定されている。
【００７０】
このように、マンモ撮影を行う被検者側（左側）の照射野１００８の端部（照射野端部、照射野端面）が鉛直方向となるように設定され、ＣＴ撮影を行う被検者側（右側）の照射野１００６の端部（照射野端部、照射野端面）が鉛直方向となるように設定されている。乳がんでは、乳房周囲（腋窩）への転移が起こる可能性がある。被検者の乳房周囲（腋窩）を撮影することができるように、ＣＴ撮影用の放射線発生部１０１０ａの照射野６とマンモ撮影用の放射線発生部１０ｂの照射野８とがそれぞれ設定されている。なお、ＣＴ撮影を行う際、ＦＯＶ （Ｆｉｅｌｄ ｏｆ ｖｉｅｗ: 照射野）を確保するために、ＣＴ撮影用の放射線発生部１０１０ａをマンモ撮影用の放射線発生部１０１０ｂよりも高い位置に設置してもよい。ＣＴ撮影を行う際、放射線発生部１０１０ａは放射線を焦点から発生させながら、放射線発生部１０１０ａと放射線検出部１０１２ａの回転を行う。
【００７１】
以上、本実施形態の乳房撮影装置１１００は、放射線を発生させる第１の放射線発生部１０１０ａと、放射線を発生させる第２の放射線発生部１０１０ｂとを備える。また、乳房撮影装置１１００は、第１の放射線発生部１０１０ａから照射された放射線を検出する第１の放射線検出部１０１２ａと、第２の放射線発生部１０１０ｂから照射された放射線を検出する第２の放射線検出部１０１２ｂとを備える。そして、乳房撮影装置１１００における第１の側から被検者の撮影対象部位を圧迫板１０１４と第１の放射線検出部１０１２ａとの間に挟んだ状態で第１の放射線発生部１０１０ａと第１の放射線検出部１０１２ａを用いて撮影する。また、乳房撮影装置１１００における第１の側と反対の第２の側から被検者の撮影対象部位を第２の放射線発生部１０１０ｂと第２の放射線検出部１０１２ｂとの間に挿入させた状態で第２の放射線発生部１０１０ｂと第２の放射線検出部１０１２ｂを回転させて撮影する。
【００７２】
このように、乳房撮影装置１１００は、ＣＴ撮影用とマンモ撮影用の２組の放射線発生部及び放射線検出部を備えている。よって、ＣＴ撮影を行う被検者の乳房とマンモ撮影を行う被検者の乳房のそれぞれに適したＦＯＶ （Ｆｉｅｌｄ ｏｆ ｖｉｅｗ: 照射野）を確保することができる。
【００７３】
＜回転フレーム＞
乳房撮影装置１１００は、回転フレーム１０３８を介して放射線発生部１０１０と放射線検出部１０１２を回転させる回転駆動部１１１２を備えている。放射線発生部１０１０は、マンモ撮影用の放射線発生部１０１０ｂとＣＴ撮影用の放射線発生部１０１０ａを内部に有している。
【００７４】
図１０は、乳房撮影装置１１００でＣＣ（頭尾方向：Ｃａｒａｎｉｏ Ｃａｕｄａｌ ｖｉｅｗ）のマンモ撮影を行う形態を示している。放射線発生部１０１０ｂ、圧迫板１０１４、放射線検出部１０１２ｂが鉛直方向に並ぶように回転フレーム１０３８の位置が設定されている。回転つまみ１０５４を回転させることにより、圧迫板１０１４を移動させ、圧迫板１０１４と放射線検出部１０１２ｂとの距離を調整することができる。圧迫板１０１４の移動により、被検者の乳房を圧迫することができる。図１０に示すＣＣのマンモ撮影において、圧迫板１０１４と放射線検出部１０１２ｂとの間に配置された乳房は、圧迫板１０１４と放射線検出部１０１２ｂとの間で圧迫されて放射線撮影される。
【００７５】
回転駆動部１１１２は、固定フレーム１０３０ａの内部に設置されている。回転駆動部１１１２には、連結部材（例えば、ベルト）を介して回転フレーム１０３８が回転可能に接続されている。また、固定フレーム１０３０ａと回転フレーム１０３８の間隙にはベアリングが設定されている。回転駆動部１１１２の駆動により、回転フレーム１０３８は固定フレーム１０３０ａに対して回転する。
【００７６】
図１３は、乳房撮影装置１１００の回転駆動部１１１２によって、放射線発生部１０１０ｂと放射線検出部１０１２ｂを回転させた回転形態を示す図である。乳房撮影装置１１００でＭＬＯ（内外斜方向：Ｍｅｄｉｏｌａｔｅｒａｌ Ｏｂｌｉｑｕｅ ｖｉｅｗ）のマンモ撮影を行う場合は、図１３に示すように、図１０の状態から回転フレーム１０３８を所定角度（例えば約６５度）回転させて停止した状態とする。なお、回転フレーム１０３８の停止状態の維持は、サーボでも行ってもブレーキで行ってもよい。図１３に示すＭＬＯのマンモ撮影において、圧迫板１０１４と放射線検出部１０１２ｂとの間に配置された乳房は、圧迫板１０１４と放射線検出部１０１２ｂとの間で圧迫されて放射線撮影される。
【００７７】
また、ＣＴ撮影を行う際、回転駆動部１１１２の駆動により、回転フレーム１０３８を固定フレーム１０３０ａに対して回転させる。具体的には、少なくとも１８０度、回転フレーム１０３８を回転させる。回転フレーム１０３８を回転させている時、放射線発生部１０１０ａは放射線を発生させ、放射線検出部１０１２ａは放射線を検出している。放射線検出部１０１２は被検者の乳房を透過した放射線を検出することにより、被検者の乳房についてＣＴ撮影を行うことができる。乳房撮影装置１１００は、撮影された放射線データを再構成することにより、ＣＴ画像を生成することができる。
【００７８】
＜フロントカバー＞
乳房撮影装置１１００のガントリ１０３０にはフロントカバー１０２６が着脱可能に設置されている。言い換えれば、フロントカバー１０２６はリング状の固定フレーム１０３０ａに着脱可能に設置されている。具体的には、フロントカバー２６の突起部が固定フレーム１０３０ａの枠体（溝部）に嵌合することにより、フロントカバー２６が固定フレーム１０３０ａに装着される。
【００７９】
図８は、乳房撮影装置１１００のガントリ１０３０にフロントカバー１０２６が取り付けられた形態を示す。図１４は、乳房撮影装置１１００のガントリ１０３０からフロントカバー１０２６が取り外された形態を示す。図１４に示すように、ガントリ１０３０からフロントカバー１０２６が取り外されると、操作者は、ＣＴ撮影側から回転フレーム１０３８の中空部を経由して、マンモ撮影を行う被検者の乳房にアクセスすることができる。マンモ撮影において、乳房撮影装置１１００の放射線検出部１０１２ｂと圧迫板１０１４の間に配置された乳房について位置調整と圧迫調整を行うことができる。
【００８０】
ガントリ１０３０における固定フレーム１０３０ａは、リング状であるため、フロントカバー１０２６は円形である。フロントカバー１０２６は、放射線発生部１０１０と放射線検出部１０１２の回転に対して不動となる部材に固定されていればよい。フロントカバー１０２６には被検者の乳房を挿入させるための開口１０２０が設置されている。具体的には、図８に示すように、フロントカバー１０２６の中心部には、被検者の乳房を挿入させるための円形の開口１０２０が設置されている。
【００８１】
フロントカバー１０２６は、放射線を遮蔽する遮蔽部材で構成される。ＣＴ撮影又はマンモ撮影の際、散乱した放射線がフロントカバー１０２６を透過しないようになっている。つまり、ＣＴ撮影側に散乱した放射線が届かないようになっている。また、フロントカバー１０２６は、半透明な部材である。フロントカバー１０２６は半透明であるため、ガントリ１０３０にフロントカバー１０２６が設置されていても、ＣＴ撮影側から放射線発生部１０１０や放射線検出部１０１２の位置を確認することができる。
【００８２】
また、図９、図１０に示すように、フロントカバー１０２６には、開口１０２０から挿入された乳房を保持するための保持台としての乳房保持部１０３４が設置されている。乳房保持部１０３４は、透明な部材であり、放射線を透過する部材である。乳房保持部１０３４は、フロントカバー１０２６の開口１０２０の周囲に沿って形成されている。乳房保持部１０３４は、フロントカバー１０２６の開口１０２０から撮影部１１０２側に突出して形成されている。乳房保持部１０３４は中空であり、乳房の形状に合わせて湾曲している。乳房保持部１０３４の一部（下側）は、お椀形状になっており、乳房保持部１０３４の一部（上側）は開いた形態になっている。乳房保持部１０３４は、操作者がマンモ撮影側から乳房にアクセスするための開口部１０３４ａを有している。乳房保持部１０３４は、乳房の下側を保持する形状となっている。乳房保持部３４は、乳房の形状を保ったまま保持することができる。乳房保持部１０３４は、乳房を圧迫はしない。
【００８３】
図１０に示すように、乳房保持部１０３４の一部（上側）は開いた形態になっているため、マンモ撮影側から操作者がＣＴ撮影を行う被検者の乳房にアクセスすることができるようになっている。つまり、マンモ撮影側から操作者が乳房保持部１０３４に保持された被検者の乳房にアクセスすることができるようになっている。フロントカバー１０２６に対して乳房保持部１０３４は着脱可能になっている。ここでは、様々なサイズの形状の乳房保持部１０３４を用意しておくことができる。つまり、操作者は乳房保持部１０３４を複数用意しておくことがきる。例えば、被検者の乳房の大きさに応じて、乳房保持部１０３４を取り替えることができる。
【００８４】
ガントリ１０３０に固定されたフロントカバー１０２６と乳房保持部１０３４は、ＣＴ撮影中に回転する放射線発生部１０１０や放射線検出部１０１２と、被検者の空間を分離している。被検者の乳房は、乳房保持部１０３４に保持されるので撮影中は固定されていることになる。
【００８５】
乳房保持部１０３４がフロントカバー１０２６の開口１０２０の周囲に沿って接続された例を示したがこれに限られるものではない。たとえば、乳房保持部１０３４は、ガントリ１０３０の固定フレーム１０３０ａに連結されていてもよい。
【００８６】
また、ガントリ１０３０には挿入部１０２４ａと挿入部１０２４ｂが設置されている。挿入部１０２４ａと挿入部１０２４ｂは、フロントカバー１０２６を取り外す際に操作者の手を挿入する個所であり、ガントリ１０３０の固定フレーム１０３０ａに沿って設置されている。挿入部１０２４ａと挿入部１０２４ｂは、ガントリ１０３０の固定フレーム１０３０ａの左右２箇所に設置されている。挿入部１０２４ａと挿入部１０２４ｂは、ガントリ１０３０の中心線（一点鎖線）に対して、線対称となるように設置されている。
【００８７】
操作者は、挿入部１０２４ａと挿入部１０２４ｂに手を入れて、フロントカバー１０２６を手前方向に引っ張ることにより、フロントカバー１０２６を取り外すことができる。マンモ撮影の際にフロントカバー１０２６を取り外すことにより、被検者の乳房へのアクセスが容易になる。逆に、操作者は、ガントリ１０３０の固定フレーム１０３０ａに対し、フロントカバー１０２６を奥方向に押し込むことにより、フロントカバー１０２６をガントリ１０３０に取り付けることができる。
【００８８】
なお、フロントカバー１０２６は、ＣＴ撮影を行う被検者側からは不透明であり、マンモ撮影側の操作者側からは透明であるようにしてもよい。被検者側からフロントカバー１０２６を不透明とすることによりフロントカバー１０２６越しに放射線発生部１０１０や放射線検出部１０１２が動くことによる恐怖心を回避することができる。
【００８９】
図８、図１４に示すように、フロントカバー１０２６には、ＣＴ撮影側に光を照射する第１照明部１１２０が設置されている。例えば、フロントカバー１０２６の円周方向に沿って、第１照明部１１２０が設置されている。また、ＣＴ撮影側のガントリ１０３０（固定フレーム１０３０ａ、長円筒部１０３０ｂ）に第１照明部１１２０が設置されていてもよい。すなわち、ＣＴ撮影側の乳房撮影装置１１００から光が照射されるように第１照明部１１２０が設置されている。図８に示す乳房撮影装置１１００の手前側に光が照射されるようになっていればよい。第１照明部１１２０から照射される光は、点灯形態、点滅形態どちらであってもよい。照明部については、図示はしないが、制御部１１１０が制御する。
【００９０】
ＣＴ撮影を行う際には、制御部１１１０は第１照明部１１２０から光を照射させる。ＣＴ撮影を行う際には、第１照明部１１２０によってＣＴ撮影側へ光が照射される。よって、ＣＴ撮影を予定している被検者は、乳房撮影装置のどちら側で撮影するのかを認識することができる。ＣＴ撮影中には、第１照明部１１２０はＣＴ撮影側に照射されていた光を消す。ＣＴ撮影中とは、放射線発生部１０１０と放射線検出部１０１２が回転してＣＴ撮影が行われている期間である。つまり、ＣＴ撮影中には第１照明部１１２０から光が照射されない。
【００９１】
放射線発生部１０１０には、ＣＴ撮影側に光を照射する第２照明部１１２２が設置されている。制御部１１１０は第２照明部１１２２から光を照射させる。第２照明部１１２２から照射される光は、点灯形態である。第２照明部１１２２から照射される光が点灯形態であるため、放射線発生部１０１０や放射線検出部１０１２が回転していても、放射線発生部１０１０や放射線検出部１０１２の位置を確認できるようになっている。
【００９２】
また、フロントカバー１０２６は半透明であるため、第２照明部１１２２から照射される光はＣＴ撮影側に照射されることになる。放射線発生部１０１０と放射線検出部１０１２が回転しているＣＴ撮影中には、放射線発生部１０１０は放射線を発生させるとともに、第２照明部１１２２から光を照射する。操作者は、回転している放射線発生部１０１０や放射線検出部１０１２の位置をＣＴ撮影側から確認することができる。よって、操作者は、放射線発生部１０１０や放射線検出部１０１２の位置をＣＴ撮影側から確認することにより、どのくらい放射線発生部１０１０が回転すればＣＴ撮影が終了するかを認識することができる。なお、放射線発生部１０１０には、ＣＴ撮影側に光を照射する第２照明部１１２２が設置されている形態を示したが、放射線検出部１０１２に第２照明部１１２２を設置してもよい。
【００９３】
放射線発生部１０１０と放射線検出部１０１２が回転してＣＴ撮影が終了すると、制御部１１１０は第１照明部１１２０から光を照射させる。第１照明部１１２０によってＣＴ撮影側へ光が照射される。よって、操作者と被検者は、ＣＴ撮影が終了したことを認識することができる。
また、図１３に示すように、放射線発生部１０１０、放射線検出部１０１２、圧迫板１０１４には、マンモ撮影側に光を照射する第３照明部１１２４が設置されている。また、マンモ撮影側のガントリ１０３０（固定フレーム１０３０ａ、長円筒部１０３０ｂ）に第３照明部１１２４が設置されていてもよい。すなわち、マンモ撮影側の乳房撮影装置から光が照射されるように第３照明部１１２４が設置されている。図１３に示す乳房撮影装置の手前側に光が照射されるようになっていればよい。第３照明部１１２４から照射される光は、点灯形態、点滅形態どちらであってもよい。
【００９４】
マンモ撮影を行う際には、制御部１１１０は第３照明部から光を照射させる。マンモ撮影を行う際には、第３照明部１１２４によってマンモ撮影側へ光が照射される。よって、マンモ撮影を予定している被検者は、乳房撮影装置のどちら側で撮影するのかを認識することができる。
【００９５】
以上、本実施形態の乳房撮影装置１１００のガントリ１０３０には、ＣＴ撮影時に回転する放射線発生部１０１０と放射線検出部１０１２から被検者を保護するフロントカバー１０２６が着脱可能に設置されている。また、フロントカバー１０２６は、被検者の乳房を挿入するための開口１０２０と、開口１０２０から挿入された被検者の乳房を保持する乳房保持部１０３４を有している。よって、ＣＴ撮影時に回転する放射線発生部１０１０と放射線検出部１０１２から被検者を保護することができる。
【００９６】
＜支持脚部（切り欠き部）＞
図８〜図１０に示すように、乳房撮影装置１１００は、撮影部１１０２を回転可能に支持するガントリ１０３０と、床面に対して乳房撮影装置１１００（ガントリ１０３０）を支持する支持脚部１０４０とを備えている。支持脚部１０４０は、乳房撮影装置１１００（ガントリ１０３０）を鉛直方向に支持する
【００９７】
支持脚部１０４０は、水平面に直交する方向（鉛直方向）に伸張して形成された長円筒部１０４２と、長円筒部１０４２と連結され、乳房撮影装置１１００（ガントリ１０３０）を安定して支持するための台座部１０４６とからなる。台座部１０４６は、床面に接触する部材である。支持脚部１０４０における長円筒部１０４２と台座部１０４６は、一体化されている。長円筒部１０４２には、ガントリ１０３０が連結されている。
【００９８】
台座部１０４６は、床面に接している。台座部１０４６は、長円筒部１０４２の周囲形状に合わせて形成されている。たとえば、長円筒部１０４２は２つの半円を直線でつないだ長円形状の筒状形態である。長円筒部１０４２は長円形状の筒状形態であるため、台座部１０４６は長円形状に形成されている。長円筒部１０４２と台座部１０４６は互いに相似関係となっている。
【００９９】
具体的には、長円筒部１０４２の底面部の周囲から外側にはみ出す（突出する）ように、台座部１０４６が形成されている。言い換えれば、長円筒部１０４２の底面部の周囲から外側に均等にはみ出すように、台座部１０４６が形成されている。台座部１０４６は、長円筒部１０４２の底面部の周囲から外側に一定幅（例えば、１０ｃｍ〜３０ｃｍ程度）はみ出すように形成されている。台座部１０４６の床面との接触面積は、長円筒部１０４２の底面部の面積よりも面積が広くなっている。台座部１０４６によって長円筒部１０４２の底面部を拡径することにより、乳房撮影装置１１００は床面との接触面積を増やすことができる。台座部１０４６によって、乳房撮影装置１１００（ガントリ１０３０）の設置バランスを保つことができ、乳房撮影装置１１００（ガントリ１０３０）を安定して支持することができる。
【０１００】
切り欠き部１０４８には、被検者の足の先端部（つま先）が挿入される。切り欠き部１０４８は、被検者の両足の先端部（つま先）が入ることができる程度開口されている。具体的には、切り欠き部１０４８は、所定側の台座部１０４６の一部が切り取られて形成されている。言い換えれば、切り欠き部１０４８は、所定側の台座部１０４６の内側に穴部が形成されたようになっている。例えば、切り欠き部１０４８の奥行き深さは約２０ｃｍであり、切り欠き部１０４８の高さは床面から約１０ｃｍである。なお、切り欠き部１０４８は、所定側の長円筒部１０４２の一部が台座部１０４６とともに切り取られて形成されていてもよい。所定側とは、ＣＴ撮影を行う際に被検者が配置されるＣＴ撮影側である。ＣＴ撮影側とは、図８の乳房撮影装置１１００では、手前側であり、図９の乳房撮影装置１１００では、右側である。
【０１０１】
図９に示すように、ＣＴ撮影を行う場合、被検者の乳房をフロントカバー１０２６の開口１０２０に挿入させた状態で放射線発生部１０１０と放射線検出部１０１２を回転フレーム１０３８で回転させて撮影する。ＣＴ撮影を行う場合、被検者は乳房撮影装置１１００側を向き、フロントカバー１０２６に被検者の上半身が張り付いた形態になる。
【０１０２】
フロントカバー１０２６の端面から下側に垂線を下ろすと、台座部１０４６に到達する。そのため、仮に、台座部１０４６に切り欠き部１０４８がないと被検者の足を台座部１０４６の上に置かなければならない。被検者は不安定な状態でＣＴ撮影を行うことになる。そこで、本発明の乳房撮影装置１１００では、台座部１０４６には被検者の足を挿入するための切り欠き部１０４８が設けられている。切り欠き部１０４８は、台座部１０４６において床面がむき出しになるように形成されている。そのため、被検者は切り欠き部１０４８に足を挿入して、足を床面に設置することにより、被検者は乳房撮影装置１１００に向いた状態で、姿勢を保つことができる。被検者は安定した状態でＣＴ撮影を行うことができる。
【０１０３】
また、乳房撮影装置１１００（ガントリ１０３０）の設置バランスを考慮して、切り欠き部１０４８は、所定側と反対側の台座部１０４６を切り欠いていない。言い換えれば、乳房撮影装置１１００（ガントリ１０３０）の設置バランスを失うことがないように、支持脚部１０４０に切り欠き部４８が形成されている。台座部１０４６はＣＴ撮影側とマンモ撮影側で同じようにせり出している。台座部１０４６においてせり出されている箇所を確保しつつ、ＣＴ撮影側の台座部１０４６には被検者の足を挿入するための切り欠き部１０４８が設けられている。
【０１０４】
一方、図８〜図１０に示すように、マンモ撮影を行う際に被検者が配置されるマンモ撮影側の台座部１０４６には被検者の足を挿入するための切り欠き部１０４８が設けられていない。言い換えれば、マンモ撮影側には切り欠き部１０４８が支持脚部１０４０に設けられていない。つまり、ＣＴ撮影側（右側）のみ、支持脚部１０４０に切り欠き部１０４８が設けられている。これは、マンモ撮影側は、放射線発生部１０１０ｂ、放射線検出部１０１２ｂ、圧迫板１０１４等の構成要素がマンモ撮影側（左側）、すなわちマンモ撮影を行う被検者側（左側）にせり出しているためである。放射線発生部１０１０ｂ、放射線検出部１０１２ｂ、圧迫板１０１４等の構成要素が台座部１０４６よりもマンモ撮影を行う被検者側（左側）にせり出している。よって、マンモ撮影側の台座部１０４６に切り欠き部１０４８を設ける必要がない。
【０１０５】
以上、本実施形態の乳房撮影装置１１００は、ガントリ１０３０を床面に対して支持する支持脚部１０４０を備える。支持脚部１０４０は、被検者の足を挿入するための切り欠き部１０４８を有している。被検者の撮影対象部位を放射線発生部１０１０と放射線検出部１０１２との間に挿入させた状態で放射線発生部１０１０と放射線検出部１０１２を回転させて撮影する。その際に被検者が配置されるＣＴ撮影側の支持脚部１０４０には、被検者の足を挿入するための切り欠き部１０４８が形成されている。
【０１０６】
また、被検者の撮影対象部位を圧迫板１０１４と放射線検出部１０１２との間に挟んだ状態で放射線発生部１０１０と放射線検出部１０１２を用いて撮影する際に被検者が配置されるマンモ撮影側の支持脚部１０４０には、被検者の足を挿入するための切り欠き部が形成されていない。よって、被検者はそれぞれの撮影に適した姿勢をとることができる。
【０１０７】
＜把持部＞
図８に示すように、ＣＴ撮影側のガントリ１０３０には、ＣＴ撮影を行う被検者が把持するための複数の把持部１０２２ａ、１０２２ｂ、１０２２ｃ、１０２２ｄが形成されている。具体的には、複数の把持部１０２２ａ、１０２２ｂ、１０２２ｃ、１０２２ｄは、ガントリ１０３０における回転フレーム１０３８を回転可能に支持するリング状の固定フレーム１０３０ａの外縁の円周方向に沿ってそれぞれ形成されている。また、固定フレーム１０３０ａと固定フレーム１０３０ａに設置されたフロントカバー１０２６との接合部の近傍に複数の把持部１０２２ａ、１０２２ｂ、１０２２ｃ、１０２２ｄが形成されている。
【０１０８】
固定フレーム１０３０ａにおいて、把持部１０２２ａが右上、把持部１０２２ｂが右下、把持部１０２２ｃが左上、把持部１０２２ｄが左下に設置されている。図示はしないが、固定フレーム３０ａにおいて、把持部が真上に設置されていてもよい。複数の把持部１０２２ａ、１０２２ｂ、１０２２ｃ、１０２２ｄは、凹形状の把持部であり、リング状の固定フレーム１０３０ａ上に形成されている。把持部１０２２は、被検者の指先が引っ掛かる程度に窪んでいる。
【０１０９】
図１０に示すように、マンモ撮影側のガントリ１０３０には、マンモ撮影を行う被検者が把持するための把持部１０７０が設置されている。把持部１０７０は、リング状の固定フレーム１０３０ａの外縁の円周方向に沿って設置されている。具体的には、把持部１０７０は、固定フレーム１０３０ａにおける２つの支持点から突出して形成されている。支持点は、固定フレーム１０３０ａの下側に位置している。把持部１０７０における２つの支持点の距離は、放射線発生部１０１０ｂ若しくは放射線検出部１０１２ｂの幅より長い。また、把持部１０７０における２つの支持点の距離は、支持台１００２の幅よりも長い。
【０１１０】
把持部１０７０は、棒状の部材であり、固定フレーム１０３０ａにおける２つの支持点を結ぶアーチ形状となるように設置されている。把持部１０７０は、いわゆる手摺のような部材である。把持部１０７０は湾曲している。具体的には、把持部１０７０は下側に湾曲している。これは、放射線発生部１０１０と放射線検出部１０１２を回転しても、放射線発生部１０１０と放射線検出部１０１２が把持部１０７０に干渉（衝突）しないようにするためである。また、固定フレーム１０３０ａとアーチ部分の把持部１０７０の間には、隙間がある。この隙間は数ｃｍ程度である。固定フレーム１０３０ａとアーチ部分の把持部１０７０の間に隙間があるため、被検者は、両手で把持部１０７０を把持することができる。
【０１１１】
把持部１０７０における２つの支持点の距離が放射線発生部１０１０ｂ若しくは放射線検出部１０１２ｂの幅より長いため、放射線発生部１０１０と放射線検出部１０１２が回転しても、把持部１０７０が放射線発生部１０１０と放射線検出部１０１２によって隠れない。また、放射線発生部１０１０と放射線検出部１０１２が回転しても、被検者は、把持部１０７０を把持することができる。
【０１１２】
ＣＴ撮影側の複数の把持部１０２２ａ、１０２２ｂ、１０２２ｃ、１０２２ｄとマンモ撮影側の把持部１０７０は、それぞれ形状が異なる。ＣＴ撮影側の把持部１０２２ａ、１０２２ｂ、１０２２ｃ、１０２２ｄは、ガントリ１０３０に対して窪んでいる形態であるのに対して、マンモ撮影側の把持部１０７０はガントリ１０３０に対して突出している形態である。
【０１１３】
ＣＴ撮影側は、フロントカバー１０２６に被検者の上半身を密着させ、撮影対象部位である被検者の乳房を開口１０２０に挿入させる必要がある。そこで、フロントカバー１０２６に密着した被検者に邪魔にならないように、ＣＴ撮影側の把持部１０２２ａ、１０２２ｂ、１０２２ｃ、１０２２ｄがガントリ１０３０に対して突出しないようになっている。ＣＴ撮影側の把持部１０２２ａ、１０２２ｂ、１０２２ｃ、１０２２ｄは凹形状に形成されている。
【０１１４】
マンモ撮影側は、フロントカバー２６に被検者の上半身を密着させることはない。ガントリ１０３０から突出した圧迫板１０１４と放射線検出部１０１２との間に被検者の乳房を挿入させて挟む必要がある。また、被検者の乳房が圧迫された状態で被検者の体を支える必要がある。そこで、マンモ撮影側の把持部１０７０は、ガントリ１０３０に対して突出するようになっている。マンモ撮影側の把持部１０７０は凸形状に形成されている。
【０１１５】
以上、本発明の乳房撮影装置１１００の第１の側のガントリ１０３０には、被検者が把持する第１の把持部１０７０が設けられ、第１の側と反対の第２の側のガントリ１０３０には、第１の把持部１０７０と形状が異なる第２の把持部１０２２が設けられている。第１の把持部１０７０はガントリ１０３０に対して凸形状に形成され、第２の把持部１０２２はガントリ１０３０に対して凹形状に形成されている。よって、マンモ撮影を行う被検者、ＣＴ撮影を行う被検者は、当該第１の把持部１０７０、第２の把持部１０２２を適宜把持することにより、被検者は撮影に適した姿勢をとることができる。
【０１１６】
＜操作部＞
図８、図１０に示すように、乳房撮影装置の操作を行う操作部１０５０は、ガントリ１０３０に設置されている。操作部１０５０は、乳房撮影装置において回転しない構成要素に設置されている。操作部１０５０は、ガントリ１０３０における固定フレーム１０３０ａの左右側面にそれぞれ設置されている。具体的には、操作部１０５０は操作部１０５０ａと操作部１０５０ｂとからなる。操作部１０５０ａと操作部１０５０ｂは固定フレーム１０３０ａの右端と左端にそれぞれ設置されている。図１１に示すように、操作部１０５０（操作部１０５０ａと操作部１０５０ｂ）は、それぞれ制御部１１１０に接続されている。
【０１１７】
図１０に示すように、乳房撮影装置の操作を行う操作部１０５２（操作部１０５２ａと操作部１０５２ｂ）は、回転フレーム１０３８に設置されている支持台１００２に設置されている。つまり、操作部１０５２は、乳房撮影装置において回転する構成要素に設置されている。本実施形態では、操作部１０５２は、支持台１００２の左右側面に設置されている。具体的には、操作部１０５２は操作部１０５２ａと操作部１０５２ｂとからなる。操作部１０５２ａと操作部１０５２ｂは支持台１００２の左右側面にそれぞれ設置されている。図１１に示すように、操作部１０５２（操作部１０５２ａと操作部１０５２ｂ）は、それぞれ制御部１１１０に接続されている。
【０１１８】
ガントリ１０３０に設置される操作部１０５０と支持台１００２に設置される操作部１０５２は、同じボタン構成となっている。操作部１０５０と操作部１０５２は同じ機能を有している。操作部１０５０と操作部１０５２は、圧迫板１０１４を上下させるボタンと、放射線発生部１０１０や放射線検出部１０１２を回転させるボタンとからなる。これらのボタンは操作者が指で押すボタンである。
【０１１９】
なお、本実施形態の乳房撮影装置１１００は、ＣＴ撮影用とマンモ撮影用の２組の放射線発生部及び放射線検出部を備えている例を説明したが、１組の放射線発生部及び放射線検出部を用いて、ＣＴ撮影とマンモ撮影を実現することも可能である。具体的には、乳房撮影装置１１００は、ＣＴ撮影とマンモ撮影によって放射線発生部及び放射線検出部を移動させる移動機構（図示しない。）を設ける。例えば、ＣＴ撮影では、放射線発生部を図９に示す１０１０ａの位置に移動させ、放射線検出部を１０１２ａの位置に移動させる。マンモ撮影では、放射線発生部を１０１０ｂの位置に移動させ、放射線検出部を図９に示す１０１２ｂの位置に移動させる。
【符号の説明】
【０１２０】
１００：乳房撮影装置、２：放射線撮影部、３：圧迫板、３１：圧迫板支持部、４：支柱部、５：固定フレーム、６：回転フレーム、７：台車、８：フロントカバー、１０：放射線発生部、１１：放射線管球、１２：放射線源移動部、１３：放射線絞り、２０：放射線検出部、２１：放射線検出器、２２：グリッド、２３：検出器移動部、２４：昇降部
【図１】
0006525768.tif 000002
【図２】
0006525768.tif 000003
【図３】
0006525768.tif 000004
【図４】
0006525768.tif 000005
【図５】
0006525768.tif 000006
【図６】
0006525768.tif 000007
【図７】
0006525768.tif 000008
【図８】
0006525768.tif 000009
【図９】
0006525768.tif 000010
【図１０】
0006525768.tif 000011
【図１１】
0006525768.tif 000012
【図１２】
0006525768.tif 000013
【図１３】
0006525768.tif 000014
【図１４】
0006525768.tif 000015